(57)【要約】      （修正有）【課題】確実に閉止されていることを確認することができ、消火栓用開閉弁の閉め忘れや悪戯による開放操作による水損事故やそれに起因する二次災害を防止できる消火栓用開閉弁を提供する。【解決手段】弁座３ａを設けたボディ３を密封するボンネット４に回転自在且つ上下動自在に挿通支持された弁棒５をハンドル６の回転操作により昇降させ、弁棒５の先端部に設けたディスク７をボディ３の弁座３ａへ当座又は弁座３ａから離座させることにより開閉される消火栓に用いる消火栓用開閉弁１において、前記消火栓用開閉弁１に、当該消火栓用開閉弁１が完全に閉止した状態か、或いは、完全に閉止していない状態かをハンドル６位置によって検出し、その状態を外部へ発信する開閉信号発信装置２を設け、当該開閉信号発信装置２を消火栓用開閉弁１の開閉状態を確認する発光装置又は音声発生装置に接続する。【選択図】図１
0003190390.tif 000002
【実用新案登録請求の範囲】
【請求項１】
弁座（３ａ）を設けたボディ（３）を密封するボンネット（４）に回転自在且つ上下動自在に挿通支持された弁棒（５）をハンドル（６）の回転操作により昇降させ、弁棒（５）の先端部に設けたディスク（７）をボディ（３）の弁座（３ａ）へ当座又は弁座（３ａ）から離座させることにより開閉される消火栓に用いる消火栓用開閉弁（１）において、前記消火栓用開閉弁（１）に、当該消火栓用開閉弁（１）が完全に閉止した状態か、或いは、完全に閉止していない状態かをハンドル（６）の位置によって検出し、その状態を外部へ発信する開閉信号発信装置（２）を設け、当該開閉信号発信装置（２）を消火栓用開閉弁（１）の開閉状態を確認する発光装置（１６）又は音声発生装置に接続したことを特徴とする開閉信号発信装置を付けた消火栓用開閉弁。
【請求項２】
開閉信号発信装置（２）は、消火栓用開閉弁（１）のボンネット（４）又はボディ（３）に設けられ、ハンドル（６）の位置によって電気信号を外部に発信すると共に、発光装置（１６）又は音声発生装置に電気的に接続されるリミットスイッチ（９）と、弁棒５又はハンドル（６）に設けられ、弁棒（５）の上下動に連動して上下動し、リミットスイッチ（９）をＯＮ・ＯＦＦ操作する作動体（１０）とから成ることを特徴とする請求項１に記載の開閉信号発信装置を付けた消火栓用開閉弁。
【請求項３】
リミットスイッチ（９）をボンネット（４）又はボディ（３）に高さ調整手段を介して高さ調整自在に取り付けたことを特徴とする請求項２に記載の開閉信号発信装置を付けた消火栓用開閉弁。
【請求項４】
高さ調整手段は、ボンネット（４）又はボディ（３）に固定したスイッチベースリング（１１）と、縦長の開口（１２ａ）を有し、リミットスイッチ（９）が固定されるスイッチベース（１２）と、スイッチベース（１２）の開口（１２ａ）に挿通され、スイッチベース（１２）をスイッチベースリング（１１）に固定する締め付け具（１３）とから成り、締め付け具（１３）を弛めてスイッチベース（１２）の高さ位置を変えることによりリミットスイッチ（９）の高さを調整できる構成としたことを特徴とする請求項３に記載の開閉信号発信装置を付けた消火栓用開閉弁。
【考案の詳細な説明】
【技術分野】
【０００１】
本考案は、オフィスビルや病院、学校、工場、コンビナート等に設置されている消火設備である消火栓に用いる消火栓用開閉弁の改良に係り、消火栓用開閉弁に、当該消火栓用開閉弁の開閉状態（完全に閉止した状態又は完全に閉止していない状態）を検出し、その状態を外部へ発信する開閉信号発信装置を取り付けることによって、消火栓用開閉弁が確実に閉止されていることを確認することができ、消火栓用開閉弁の閉め忘れや悪戯による消火栓用開閉弁の開放操作による水損事故やそれに起因する二次災害を防止できるようにした開閉信号発信装置を付けた消火栓用開閉弁に関するものである。
【背景技術】
【０００２】
一般に、オフィスビルや病院、学校等に設置されている消火栓用開閉弁は、火災発生時に消防用ホース及びノズルを接続し、消防用ホースを引き伸ばした後、消火栓用開閉弁を開放操作してノズルから火元に向って放水することにより消火を行うものである。
【０００３】
また、平常時においては、消防用ホース及びノズルは、取り外した状態で消火栓箱等に収納されているため、送水用ポンプ等により加圧された消防用水を止めているのは消火栓用開閉弁である。
【０００４】
ところで、消火活動を終了した後、開放した消火栓用開閉弁を閉止操作しなければならないが、先に制御盤でポンプの停止を行った場合、開閉弁の閉止操作を忘れてしまったり、或いは、閉止操作が完全に行われていないことがある。
【０００５】
また、消火栓用開閉弁を使用していないときに、悪戯により閉止状態の消火栓用開閉弁が開放操作されることがある。
【０００６】
従って、火災発生時或いは消防訓練時において、使用しようとする消火栓用開閉弁以外の閉止が十分でない状態で送水用ポンプ等によって加圧された消防用水が送られた場合、開いている消火栓用開閉弁の吐出口から水が放出され、水損被害が発生する。
【０００７】
また、使用しない消火栓用開閉弁から消防用水が放水されてしまうと、火災発生場所近くの消火栓用開閉弁からの消防用水の水圧が低下し、火災の鎮火までに時間がかかってしまうことがある。
【０００８】
一方、消火設備に使用される消火栓用開閉弁においては、消火栓用開閉弁の開閉状態を検出することができる開閉検出装置を備えた消火栓用開閉弁が本件出願人により先に開発されている（例えば、特許文献１参照）。
【０００９】
即ち、前記消火栓用開閉弁は、図示していないが、弁箱に設けた固定板と、固定板に対峙して回転自在に設けられ、中央部を挿通する弁棒の回転により同方向に回転される回転板と、回転板に所定の角度を置いて配置された近接型発信機を形成する三つの移動体（永久磁石）と、固定板に設けられ、移動体の近接により作動順序のパターンが開方向と閉方向とでは異なるように所定の角度を置いて配置された近接型発信機を形成する二つの発信体（ホール素子）とから構成した開閉検出装置を備えている。
【００１０】
而して、前記消火栓用開閉弁においては、弁棒が回転されると、回転板が同方向に回転し、回転板に設けた移動体と固定板に設けた発信体とが順次対向及び離隔を繰り返し、移動体により発信体が作動するようになっており、このとき、回転板の回転方向に応じて開方向と閉方向とでは、発信体の作動順序のパターンが異なったものとなり、この作動順序のパターンを検出することによって、消火栓用開閉弁が開放方向に作動しているか、或いは、閉止方向に作動しているか等の開閉状況を検出することができるようになっている。
【００１１】
ところで、消火設備に使用される消火栓用開閉弁は、その多くが止水機構を形成する弁体シートにゴム又は樹脂等の軟質材料を使用しているため、弁体シートの経年による変化、或いは、部品の寸法誤差や閉止する力の強弱によって、消火栓用開閉弁が完全に閉止できる位置が一定でなく、締め込み位置が変化することがある。
【００１２】
ところが、従前の開閉検出装置を備えた前記消火栓用開閉弁は、消火栓用開閉弁が開弁方向に作動しているか、或いは、閉弁方向に作動しているか等の開閉状況を検出するものであるため、弁体シートの経年変化等により締め込み位置が変化している場合には、消火栓用開閉弁が確実に閉止されていることを確認することができないと云う問題があった。
【先行技術文献】
【特許文献】
【００１３】
【特許文献１】特開平１０−７８１６２号公報
【考案の概要】
【考案が解決しようとする課題】
【００１４】
本考案は、このような問題点に鑑みて為されたものであり、その目的は、消火栓用開閉弁が確実に閉止されていることを確認することができ、消火栓用開閉弁の閉め忘れや悪戯による消火栓用開閉弁の開放操作による水損事故やそれに起因する二次災害を防止できるようにした開閉信号発信装置を付けた消火栓用開閉弁を提供することにある。
【課題を解決するための手段】
【００１５】
上記目的を達成するために、本考案の請求項１の考案は、弁座を設けたボディを密封するボンネットに回転自在且つ上下動自在に挿通支持された弁棒をハンドルの回転操作により昇降させ、弁棒の先端部に設けたディスクをボディの弁座へ当座又は弁座から離座させることにより開閉される消火栓に用いる消火栓用開閉弁において、前記消火栓用開閉弁に、当該消火栓用開閉弁が完全に閉止した状態か、或いは、完全に閉止していない状態かをハンドルの位置によって検出し、その状態を外部へ発信する開閉信号発信装置を設け、当該開閉信号発信装置を消火栓用開閉弁の開閉状態を確認する発光装置又は音声発生装置に接続したことに特徴がある。
【００１６】
本考案の請求項２の考案は、請求項１に記載の考案において、開閉信号発信装置は、消火栓用開閉弁のボンネット又はボディに設けられ、ハンドルの位置によって電気信号を外部に発信すると共に、発光装置又は音声発生装置に電気的に接続されるリミットスイッチと、弁棒又はハンドルに設けられ、弁棒の上下動に連動して上下動し、リミットスイッチをＯＮ・ＯＦＦ操作する作動体とから成ることに特徴がある。
【００１７】
本考案の請求項３の考案は、請求項２に記載の考案において、リミットスイッチをボンネット又はボディに高さ調整手段を介して高さ調整自在に取り付けたことに特徴がある。
【００１８】
本考案の請求項４の考案は、請求項３に記載の考案において、高さ調整手段は、ボンネット又はボディに固定したスイッチベースリングと、縦長の開口を有し、リミットスイッチが固定されるスイッチベースと、スイッチベースの開口に挿通され、スイッチベースをスイッチベースリングに固定する締め付け具とから成り、締め付け具を弛めてスイッチベースの高さ位置を変えることによりリミットスイッチの高さを調整できる構成としたことに特徴がある。
【考案の効果】
【００１９】
本考案の開閉信号発信装置を付けた消火栓用開閉弁は、消火栓用開閉弁の開閉状態（完全に閉止した状態又は完全に閉止していない状態）を検出してその開閉状態を外部へ電気信号により発信する開閉信号発信装置を備え、当該開閉信号発信装置を消火栓用開閉弁の開閉状態を確認する発光装置又は音声発生装置に接続する構成としているため、発光装置又は音声発生装置を監視室や管理室、常時人がいる場所に設置することによって、消火栓用開閉弁の開閉状態を日常的に管理することができると共に、消火栓用開閉弁が確実に閉止されていることを確認することができる。
その結果、本考案の開閉信号発信装置を付けた消火栓用開閉弁は、消火栓用開閉弁の閉め忘れや悪戯による消火栓用開閉弁の開放を迅速且つ確実に確認することができ、火災発生時における水損事故やそれに起因する二次災害を防止することができる。
特に、コンビナートや工場等のように消火栓用開閉弁が広範囲に亘って設置されている場合にあっては、発光装置又は音声発生装置を監視室や管理室、常時人がいる場所に設置することによって、日常的に消火栓用開閉弁の開閉状態を管理することができるため、火災時や消火訓練時における水損事故や漏水に起因する消火栓用開閉弁の近くに設置された機械装置の破損や漏電等の二次災害を懸念することなく、速やかに消火活動や消火訓練を行えることになる。
【００２０】
本考案の開閉信号発信装置を付けた消火栓用開閉弁は、開閉信号発信装置が、消火栓用開閉弁のボンネット又はボディに設けられ、ハンドルの位置によって電気信号を外部に発信するリミットスイッチと、弁棒又はハンドルに設けられ、弁棒の上下動に連動してリミットスイッチをＯＮ・ＯＦＦ操作する作動体とから成るため、構造も比較的簡単になると共に、既存の消火栓用開閉弁にも簡単に開閉信号発信装置を付けることができる。
【００２１】
本考案の開閉信号発信装置を付けた消火栓用開閉弁は、リミットスイッチをボンネット又はボディに高さ調整手段を介して高さ調整自在に取り付けているため、個々の消火栓用開閉弁の閉止位置が異なっていたり、経年変化による弁体シート（例えば、ゴムパッキン）の硬化により閉止位置が変化したり、或いは、部品の寸法誤差や消火栓用開閉弁の締め付け力が個人により一定でない場合であっても、リミットスイッチを高さ調整手段により高さ調整することにより個々の消火栓用開閉弁ごとの調整が可能となり、消火栓用開閉弁の開閉状態を確実に確認することができる。
【図面の簡単な説明】
【００２２】
【図１】本考案の実施の形態に係る開閉信号発信装置を付けた消火栓用開閉弁の閉止状態を示す一部切欠正面図である。
【図２】同じく開閉信号発信装置を付けた消火栓用開閉弁の閉止状態を示す側面図である。
【図３】図１のＡ−Ａ線断面図である。
【図４】開閉信号発信装置を付けた消火栓用開閉弁の全開状態を示す一部切欠正面図である。
【図５】開閉信号発信装置を構成するローラレバー形のリミットスイッチの側面図である。
【考案を実施するための形態】
【００２３】
以下、本考案の実施の形態を図面に基づいて詳細に説明する。
図１〜図４は本考案の実施の形態に係る開閉信号発信装置２を付けた消火栓用開閉弁１を示し、当該開閉信号発信装置２を付けた消火栓用開閉弁１は、オフィスビルや病院、学校、工場、コンビナート等に設置されている消火設備に設けられており、消火栓用開閉弁１の開閉状況を確実に確認することができ、消火栓用開閉弁１の閉め忘れや悪戯による消火栓用開閉弁１の開放操作による水損事故やそれに起因する二次災害を防止できるようにしたものである。
【００２４】
即ち、前記開閉信号発信装置２を付けた消火栓用開閉弁１は、弁座３ａを設けたボディ３を密封するボンネット４に回転自在且つ上下動自在に挿通支持された弁棒５をハンドル６の回転操作により昇降させ、弁棒５の先端部に設けたディスク７をボディ３の弁座３ａへ当座又は弁座３ａから離座させることにより開閉される消火栓用開閉弁１に、当該消火栓用開閉弁１が完全に閉止した状態か、或いは、完全に閉止していない状態かをハンドル６の位置によって検出し、その状態を外部へ発信する開閉信号発信装置２を取り付けたものであり、前記開閉信号発信装置２を消火栓用開閉弁１の開閉状態を確認する発光装置又は音声発生装置に接続した構造となっている。
【００２５】
具体的には、前記消火栓用開閉弁１は、図１に示す如く、送水管（図示省略）に接続される流入口３ｂ及び消防用ホース（図示省略）の基端部が接続される吐出口３ｃを有すると共に、流入口３ｂの近傍に弁座３ａを設けたボディ３と、ボディ３の流入口３ｂに対向する部分に螺着され、ボディ３を密封するボンネット４と、ボンネット４に回転自在且つ昇降自在に挿通支持された弁棒５と、弁棒５の先端部に回転自在に取り付けられ、ボディ３の弁座３ａに当座又は弁座３ａから離座するディスクパッキン７ａを有する円盤状のディスク７と、弁棒５の基端部にナット８により取り付けられ、弁棒５を回転操作して上下動させるハンドル６とから構成されており、ハンドル６を回転操作して弁棒５を上下方向へ移動させ、ディスク７を弁座３ａに当座又はディスク７を弁座３ａから離座させることによって、ボディ３の流体通路を開閉する構造となっている。
【００２６】
一方、前記開閉信号発信装置２は、消火栓用開閉弁１のボンネット４又はボディ３に設けられ、ハンドル６の位置によって電気信号を外部に発信すると共に、消火栓用開閉弁１の開閉状態を確認する発光装置１６（又は音声発生装置）に電気的に接続されるリミットスイッチ９と、弁棒５又はハンドル６に設けられ、弁棒５の上下動に連動して上下動し、リミットスイッチ９をＯＮ・ＯＦＦ操作する作動体１０とから成る。
【００２７】
即ち、リミットスイッチ９は、マイクロスイッチ（図示省略）等を内蔵したボックス状のスイッチ本体９ａと、スイッチ本体９ａに設けた感知部９ｂとから成り、このリミットスイッチ９には、感知部９ｂがローラプランジャ形になっているリミットスイッチ９が使用されている。
【００２８】
また、リミットスイッチ９は、ボンネット４に高さ調整手段を介して高さ調整自在に取り付けられており、その感知部９ｂ（ローラを有するプランジャ）が後述する作動体１０の垂直軌道上に位置するように設置されている。
【００２９】
前記高さ調整手段は、ボンネット４又はボディ３に固定したスイッチベースリング１１と、縦長の開口１２ａを有し、リミットスイッチ９がネジ１８により固定されるスイッチベース１２と、スイッチベース１２の開口１２ａに挿通され、スイッチベース１２をスイッチベースリング１１に固定する締め付け具１３（ネジ又はボルト）とから成り、締め付け具１３を弛めてスイッチベース１２の高さ位置を変えることによりリミットスイッチ９を高さ調整できる構成となっている。
【００３０】
具体的には、スイッチベースリング１１は、金属材により厚肉の環状に形成されており、ボンネット４の六角形状部分に外嵌され、複数本の止めネジ１４（又は複数本のボルト）によりボンネット４に固定されている。
このスイッチベースリング１１の外周面の一部分は、図３に示す如く、スイッチベースリング１１の中心線に平行に切削されて垂直面に形成されており、当該垂直面には、一対の雌ネジ穴１１ａが形成されている。
【００３１】
また、スイッチベース１２は、金属板により断面形状Ｌ字形に形成されており、スイッチベース１２の垂直部には、リミットスイッチ９を固定するための複数のネジ穴（図示省略）と、スイッチベース１２をスイッチベースリング１１の垂直面に取り付けるための複数の縦長の開口１２ａとがそれぞれ形成されている。
【００３２】
従って、前記高さ調整手段によれば、締め付け具１３を弛めてスイッチベース１２の高さ位置を変え、その位置で締め付け具１３を締め付けることによって、リミットスイッチ９を任意の高さ位置に高さ調整することができる。
【００３３】
尚、上記の実施の形態においては、スイッチベースリング１１を環状に形成してボンネット４に固定するようにしたが、スイッチベースリング１１の形状は、如何なる形状であっても良く、また、スイッチベースリング１１をボディ３に固定するようにしても良い。
【００３４】
前記作動体１０は、金属材により厚肉の環状に形成され、中心部に弁棒５の基端部が挿通される小判型開口を形成したホイールベース１０ａと、ホイールベース１０ａの下面に複数本のネジ１５により固定され、リミットスイッチ９の感知部９ｂに対向する金属板により形成された環状のホイール１０ｂとから成り、ホイールベース１０ａの小判型開口に、外周面の対向する箇所を軸方向に平行に切削加工した弁棒５の基端部を挿入し、ホイールベース１０ａの開口周縁部を弁棒５の段部とハンドル６で挟み込み、弁棒５の基端部に螺着したナット８を締め込むことにより弁棒５に取り付け固定されている。
【００３５】
尚、上記の実施の形態においては、ホイールベース１０ａとホイール１０ｂとから形成した作動体１０を弁棒５の基端部に固定するようにしたが、作動体１０は、ホイールベース１０ａとホイール１０ｂを一体的に形成しても良く、また、作動体１０を直接弁棒５にボルト等で固定しても良く、或いは、作動体１０をハンドル６の下面に固定するようにしても良い。
【００３６】
そして、前記開閉信号発信装置２は、消火栓用開閉弁１の開閉状態を確認する発光装置１６に接続されている。
この実施の形態においては、開閉信号発信装置２には、図２に示す如く、開放確認用ランプ１６ａと閉止確認用ランプ１６ｂを備えた発光装置１６が使用されている。
【００３７】
前記発光装置１６は、監視室や管理室、常時人がいる場所に設置されており、発光装置１６の各ランプ１６ａ，１６ｂの点灯状態を見ることにより消火栓用開閉弁１の開閉状態を日常的に管理することができる。
【００３８】
即ち、開閉信号発信装置２のリミットスイッチ９は、リード線１７により監視室等に設置されている開放確認用ランプ１６ａ及び閉止確認用ランプ１６ｂを備えた発光装置１６に接続されており、消火栓用開閉弁１が完全に閉止した状態になると、リミットスイッチ９がＯＮの状態になって電気信号を発信し、開放確認用ランプ１６ａが消灯する同時に閉止確認用ランプ１６ｂが点灯し、また、消火栓用開閉弁１が完全に閉止していない状態になると、リミットスイッチ９がＯＦＦの状態になって電気信号を発信し、開放確認用ランプ１６ａが点灯すると同時に閉止確認用ランプ１６ｂが消灯するようになっている。
【００３９】
尚、発光装置１６には、消火栓用開閉弁１の数に応じて開放確認用ランプ１６ａと閉止確認用ランプ１６ｂとがそれぞれ設けられており、各ランプ１６ａ，１６ｂを見ることによって各消火栓用開閉弁１の開閉状態を確認することができるようになっている。
【００４０】
上述した開閉信号発信装置２を備えた消火栓用開閉弁１においては、図１に示す閉止状態からハンドル６を回転操作して弁棒５を上昇させると、これに伴ってディスク７が上昇し、弁座３ａから離座して開放状態となる。
【００４１】
また、弁棒５の上昇に伴って作動体１０が上昇し、作動体１０のホイール１０ｂがリミットスイッチ９の感知部９ｂから離間することによりリミットスイッチ９がＯＦＦの状態となる。
【００４２】
リミットスイッチ９がＯＦＦの状態になると、開放確認用ランプ１６ａが点灯すると同時に閉止確認用ランプ１６ｂが消灯し、消火栓用開閉弁１が完全に閉止した状態から完全に閉止していない状態に切り換えられたことが確認される。
【００４３】
一方、図４に示す開放状態からハンドル６を回転操作して弁棒５を下降させると、これに伴ってディスク７が下降し、弁座３ａへ当座して閉止状態となる。
【００４４】
また、弁棒５の下降に伴って作動体１０が下降し、作動体１０のホイール１０ｂがリミットスイッチ９の感知部９ｂを押圧することによりリミットスイッチ９がＯＮの状態となる。
【００４５】
リミットスイッチ９がＯＮの状態になると、閉止確認用ランプ１６ｂが点灯すると同時に開放確認用ランプ１６ａが消灯し、消火栓用開閉弁１が完全に閉止していない状態から完全に閉止した状態に切り換えられたことが確認される。
【００４６】
このように、前記開閉信号発信装置２を付けた消火栓用開閉弁１は、監視室や管理室等に設置している発光装置１６の各ランプ１６ａ，１６ｂを見ることにより完全に閉止した状態又は完全に閉止していない状態を知ることができるため、消火活動終了後に消火栓用開閉弁１を閉止操作することを忘れた場合や悪戯等により閉止状態の消火栓用開閉弁１を開放操作された場合に、そのことを直ちに把握することができる。
その結果、開閉信号発信装置２を付けた消火栓用開閉弁１を消火栓等に使用すれば、消火栓用開閉弁１の閉め忘れや悪戯による消火栓用開閉弁１の開放を迅速且つ確実に確認することができ、火災発生時における水損事故やそれに起因する二次災害を防止することができる。
【００４７】
また、消火栓用開閉弁１は、リミットスイッチ９をボンネット４に高さ調整手段を介して高さ調整自在に取り付けているため、個々の消火栓用開閉弁１の閉止位置が異なっていたり、経年変化によるディスクパッキン７ａの硬化により閉止位置が変化したり、或いは、部品の寸法誤差や消火栓用開閉弁１の締め付け力が個人より一定でない場合であっても、リミットスイッチ９を高さ調整手段により高さ調整することにより個々の消火栓用開閉弁１ごとの調整が可能となり、消火栓用開閉弁１の開閉状態を確実に確認することができる。
【００４８】
尚、上記の実施の形態においては、発光装置１６を構成するリミットスイッチ９に、感知部９ｂがローラプランジャ形になっているリミットスイッチ９を使用するようにしたが、他の実施の形態においては、図５に示す如く、感知部９ｂがローラレバー形になっているリミットスイッチ９を使用するようにしても良い。
【００４９】
また、上記の実施の形態においては、リミットスイッチ９を開放確認用ランプ１６ａと閉止確認用ランプ１６ｂを備えた発光装置１６に接続するようにしたが、他の実施の形態においては、図示していないが、リミットスイッチ９をブザー等を備えた音声発生装置に接続するようにしても良い。
【００５０】
更に、上記の実施の形態においては、監視室や管理室等に発光装置１６又は音声発生装置を設置するようにしたが、他の実施の形態においては、消火栓用開閉弁１に発光装置１６又は音声発生装置を組み込むようにしても良い。この場合には、信号を伝達する回路の断線等の確認にも使用することができる。
【００５１】
加えて、上記の実施の形態においては、リミットスイッチ９から外部へ発信する信号は、完全に閉止した状態のときにＯＮ、完全に閉止していない状態のときにＯＦＦのそれぞれ１信号としたが、完全に閉止した状態のとき及び完全に閉止していない状態のときにそれぞれＯＮとなる２信号であっても良い。
また、開放時の信号をポンプ起動回路に伝達し、開放時の信号が発信されている場合には、ポンプの起動を行わない回路に組み込んでも良い。
【符号の説明】
【００５２】
１は消火栓用開閉弁、２は開閉信号発信装置、３はボディ、３ａは弁座、３ｂは流入口、３ｃは吐出口、４はボンネット、５は弁棒、６はハンドル、７はディスク、７ａはディスクパッキン、８はナット、９はリミットスイッチ、９ａはスイッチ本体、９ｂは感知部、１０は作動体、１０ａはホイールベース、１０ｂはホイール、１１はスイッチベースリング、１１ａは雌ネジ穴、１２はスイッチベース、１２ａは縦長の開口、１３は締め付け具、１４は止めネジ、１５はネジ、１６は発光装置、１６ａは開放確認用ランプ、１６ｂは閉止確認用ランプ、１７はリード線、１８はネジ。
【図１】
0003190390.tif 000003
【図２】
0003190390.tif 000004
【図３】
0003190390.tif 000005
【図４】
0003190390.tif 000006
【図５】
0003190390.tif 000007